(57)【要約】【課題】笠木本体の取付け時し、笠木本体に取り付けた水返しヒレが笠木本体の取付中に外れることなく、笠木本体をブラケットに容易に取付けできる堰壁用笠木を提供する。【解決手段】堰壁１の頂部に固定されるブラケット２と、ブラケット２に固定して堰壁１の上端部を覆う笠木本体３と、笠木本体３の屋内外側壁３ｂ，３ｃと堰壁１の屋内外側面１ａ，１ｂとの隙間Ｓａ，Ｓｂを塞ぐ弾性変形可能な屋内側及び屋外側の水返しヒレ４，５とを備え、笠木本体３の屋内外両側壁３ｂ，３ｃの夫々内面下端部に、水返しヒレ４，５の係嵌用拡大基部４ｂ，５ｂが係嵌してヒレ本体４ａ，５ａを突出させる被係嵌部６，６を設け、被係嵌部６，６の上方にリブ７，７を突設し、リブ７，７と被係嵌部６，６との間に逃がしスペース８，８を設け、ブラケット２の屋内外両側板部２ｂ，２ｃの夫々下端に係合凹部９，９を設ける。【選択図】図２
2013234441.tif 000002
【特許請求の範囲】
【請求項１】
上板部と屋内外両側板部とで略下向きコ字状に形成され、堰壁の頂部に所定間隔おきに跨嵌して固定されるブラケットと、天板と屋内外両側壁とで略下向きコ字状に形成され、ブラケットに固定して堰壁の上端部を覆う笠木本体と、夫々ヒレ本体の基端部に係嵌用拡大基部を形成し、笠木本体の屋内外側壁と堰壁の屋内外側面との隙間を塞ぐ弾性変形可能な屋内側及び屋外側の水返しヒレとを備え、
笠木本体の屋内外両側壁の夫々内面下端部に、水返しヒレの係嵌用拡大基部が係嵌してヒレ本体を略水平に突出させる被係嵌部を設け、被係嵌部の上方にリブを突設すると共に、このリブと被係嵌部との間には、ヒレ本体を被係嵌部から上向きに屈曲させた時にその屈曲したヒレ本体を屋内外両側壁の夫々内面側へ逃がす逃がしスペースを設け、ブラケットの屋内外両側板部の夫々下端には笠木本体のリブ先端部が係合する係合凹部を設け、
しかして、堰壁に固定したブラケットに笠木本体を被せて押し下げることにより、各水返しヒレのヒレ本体は、ブラケットの屋内外側板部に当たることで上向きに屈曲して一旦逃がしスペースへ逃げた状態から復元してその先端部が堰壁の屋内外側面に弾接すると共に、リブ先端部がブラケットの屋内外側板部の係合凹部に係合するようにした堰壁用笠木。
【請求項２】
上板部と屋内外両側板部とで略下向きコ字状に形成され、堰壁の頂部に所定間隔おきに跨嵌して固定されるブラケットと、天板と屋内外両側壁とで略下向きコ字状に形成され、ブラケットに固定して堰壁の上端部を覆う笠木本体と、夫々ヒレ本体の基端部に係嵌用拡大基部を形成し、笠木本体の屋内外側側壁と堰壁の屋内外側側面との隙間を塞ぐ弾性変形可能な屋内側及び屋外側の水返しヒレとを備え、
笠木本体の屋内外両側壁の内面の夫々下端部に、水返しヒレの係嵌用拡大基部が係嵌してヒレ本体を略水平に突出させる被係嵌部を設け、笠木本体の屋内側側壁の内面には屋内側被係嵌部の上方にリブを突設すると共に、このリブと被係嵌部との間には、ヒレ本体を被係嵌部から上向きに屈曲させた時にその屈曲したヒレ本体を屋内側側壁の内面側へ逃がす逃がしスペースを設け、屋外側被係嵌部と屋外側側壁内面とのコーナーをブラケットの屋外側側板部の下端部が係止する係止部とし、ブラケットの屋内側側板部下端には笠木本体の屋内側側壁のリブ先端部が係合する係合凹部を設け、
しかして、堰壁に固定したブラケットに笠木本体を被せながら、笠木本体を屋外側が下がるように回転させて、笠木本体の屋外側側壁の前記コーナー係止部にブラケットの屋外側側板部の下端部を係止させた状態で、笠木本体の屋内側を下向きに回転させることにより、屋内側水返しヒレのヒレ本体が、ブラケットの屋内側側板部に当たることで上向きに屈曲して逃がしスペースへ逃げた状態から復元し、その先端部が堰壁の屋内側側面に弾接し、リブ先端部がブラケットの屋内側側板部の係合凹部に係合すると共に、屋外側水返しヒレの先端部が堰壁の屋外側側面に弾接するようにした堰壁用笠木。
【請求項３】
上板部と屋内外両側板部とで略下向きコ字状に形成され、堰壁の頂部に所定間隔おきに跨嵌して固定されるブラケットと、天板と屋内外両側壁とで略下向きコ字状に形成され、ブラケットに固定して堰壁の上端部を覆う笠木本体と、夫々ヒレ本体の基端部に係嵌用拡大基部を形成し、笠木本体の屋内外側壁と堰壁の屋内外側面との隙間を塞ぐ水返しヒレで、弾性変形可能な屋内側水返しヒレ及びアルミ製の屋外側水返しヒレとを備え、
笠木本体の屋内外両側壁の内面の夫々下端部に、水返しヒレの係嵌用拡大基部が係嵌してヒレ本体を略水平に突出させる被係嵌部を設け、笠木本体の屋内側側壁の内面には屋内側被係嵌部の上方にリブを突設すると共に、このリブと被係嵌部との間には、ヒレ本体を被係嵌部から上向きに屈曲させた時にその屈曲したヒレ本体を屋内側側壁の内面側へ逃がす逃がしスペースを設け、屋外側被係嵌部と屋外側側壁内面とのコーナーをブラケットの屋外側側板部の下端部が係止する係止部とし、ブラケットの屋内側側板部下端には笠木本体の屋内側側壁のリブ先端部が係合する係合凹部を設け、
しかして、堰壁に固定したブラケットに笠木本体を被せながら、笠木本体を屋外側が下がるように回転させて、笠木本体の屋外側側壁の前記コーナー係止部にブラケットの屋外側側板部の下端部を係止させた状態で、笠木本体の屋内側を下向きに回転させることにより、屋内側水返しヒレのヒレ本体が、ブラケットの屋内側側板部に当たることで上向きに屈曲して逃がしスペースへ逃げた状態から復元し、その先端部が堰壁の屋内側側面に弾接し、リブ先端部がブラケットの屋内側側板部の係合凹部に係合すると共に、屋外側水返しヒレの先端部が堰壁の屋外側側面に当接又は近接するようにした堰壁用笠木。
【請求項４】
上板部と屋内外両側板部とで略下向きコ字状に形成され、堰壁の頂部に所定間隔おきに跨嵌して固定されるブラケットと、天板と屋内外両側壁とで略下向きコ字状に形成され、ブラケットに固定して堰壁の上端部を覆う笠木本体と、夫々ヒレ本体の基端部に係嵌用拡大基部を形成し、笠木本体の屋内外側側壁と堰壁の屋内外側側面との隙間を塞ぐ弾性変形可能な屋内側及び屋外側の水返しヒレとを備え、
笠木本体の屋内外両側壁の内面の夫々下端部に、水返しヒレの係嵌用拡大基部が係嵌してヒレ本体を略水平に突出させる被係嵌部を設け、笠木本体の屋外側側壁の内面には屋外側被係嵌部の上方にリブを突設すると共に、このリブと被係嵌部との間には、ヒレ本体を被係嵌部から上向きに屈曲させた時にその屈曲したヒレ本体を屋外側側壁の内面側へ逃がす逃がしスペースを設け、屋内側被係嵌部と屋内側側壁内面とのコーナーをブラケットの屋内側側板部の下端部が係止する係止部とし、ブラケットの屋外側側板部下端には笠木本体の屋外側側壁のリブ先端部が係合する係合凹部を設け、
しかして、堰壁に固定したブラケットに笠木本体を被せながら、笠木本体を屋内側が下がるように回転させて、笠木本体の屋内側側壁の前記コーナー係止部にブラケットの屋内側側板部の下端部を係止させた状態で、笠木本体の屋外側を下向きに回転させることにより、屋外側水返しヒレのヒレ本体が、ブラケットの屋外側側板部に当たることで上向きに屈曲して逃がしスペースへ逃げた状態から復元し、その先端部が堰壁の屋外側側面に弾接し、リブ先端部がブラケットの屋外側側板部の係合凹部に係合すると共に、屋内側水返しヒレの先端部が堰壁の屋内側側面に弾接するようにした堰壁用笠木。
【請求項５】
上板部と屋内外両側板部とで略下向きコ字状に形成され、堰壁の頂部に所定間隔おきに跨嵌して固定されるブラケットと、天板と屋内外両側壁とで略下向きコ字状に形成され、ブラケットに固定して堰壁の上端部を覆う笠木本体と、夫々ヒレ本体の基端部に係嵌用拡大基部を形成し、笠木本体の屋内外側壁と堰壁の屋内外側面との隙間を塞ぐ水返しヒレで、弾性変形可能な屋内側水返しヒレ及びアルミ製の屋外側水返しヒレとを備え、
笠木本体の屋内外両側壁の内面の夫々下端部に、水返しヒレの係嵌用拡大基部が係嵌してヒレ本体を略水平に突出させる被係嵌部を設け、笠木本体の屋外側側壁の内面には屋外側被係嵌部の上方にリブを突設すると共に、このリブと被係嵌部との間には、ヒレ本体を被係嵌部から上向きに屈曲させた時にその屈曲したヒレ本体を屋外側側壁の内面側へ逃がす逃がしスペースを設け、屋内側被係嵌部と屋内側側壁内面とのコーナーをブラケットの屋内側側板部の下端部が係止する係止部とし、ブラケットの屋外側側板部下端には笠木本体の屋外側側壁のリブ先端部が係合する係合凹部を設け、
しかして、堰壁に固定したブラケットに笠木本体を被せながら、笠木本体を屋内側が下がるように回転させて、笠木本体の屋内側側壁の前記コーナー係止部にブラケットの屋内側側板部の下端部を係止させた状態で、笠木本体の屋外側を下向きに回転させることにより、屋外側水返しヒレのヒレ本体が、ブラケットの屋外側側板部に当たることで上向きに屈曲して逃がしスペースへ逃げた状態から復元し、その先端部が堰壁の屋外側側面に弾接し、リブ先端部がブラケットの屋外側側板部の係合凹部に係合すると共に、屋内側水返しヒレの先端部が堰壁の屋内側側面に当接又は近接するようにした堰壁用笠木。
【請求項６】
弾性変形可能な水返しヒレのヒレ本体の基端部に形成される係嵌用拡大基部は、断面略Ｔ字状を成し、笠木本体の屋内外両側壁内面の夫々下端部に形成される被係嵌部は、ヒレ本体の係嵌用拡大基部の断面形状に対応するリップ溝形状に形成されている請求項１〜５の何れかに記載の堰壁用笠木。
【発明の詳細な説明】
【技術分野】
【０００１】
本発明は、ビルの屋上の周囲壁に設けられたパラペットや、ベランダに設けられた手摺り壁など（総称して堰壁と言う）の頂部に被冠される堰壁用笠木に関するものである。
【背景技術】
【０００２】
従来の堰壁用笠木としては、例えば下記特許文献１に記載されたものがある。この堰壁用笠木は、図９に示すように、上板部５２ａと屋内外両側板部３２ｂ，３２ｃとで略下向きコ字状に形成され、堰壁１の頂部に所定間隔おきに跨嵌してアンカーボルト４０により固定されるブラケット３２と、天板３３ａと屋内外両側壁３３ｂ，３３ｃとで略下向きコ字状に形成され、ブラケット３２に固定して堰壁１の上端部を覆う笠木本体３３と、夫々ヒレ本体３４ａ，３５ａの基端部に断面略Ｃ字状の嵌合部３４ｂ，３５ｂを形成し、笠木本体３３の屋内外側壁３３ｂ，３３ｃと堰壁１の屋内外側面１ａ，１ｂとの隙間Ｓａ，Ｓｂを塞ぐ弾性変形可能な屋内側及び屋外側の水返しヒレ３４，３５とを備えている。そして、笠木本体３３の屋内外側壁３３ｂ，３３ｃには夫々下端部に内向きに突出するＬ形のフランジ４１，４２が形成され、このフランジ４１，４２の先端太肉部４１ａ，４２ａに水返しヒレ３４，３５の基端側嵌合部３４ｂ，３５ｂが嵌合固定されるようになっている。堰壁１に固定されたブラケット３２に笠木本体３３を取り付けるには、笠木本体３３には水返しヒレ３３を予め取り付けておいて、この笠木本体３３を外側に開くように弾性変形させた状態で笠木本体３３をブラケット３２に被せ、笠木本体３３の屋内外側壁３３ｂ，３３ｃ下端部のフランジ４１，４２を、ブラケット３２の屋内外側板部３２ｂ，３２ｃの下端部に係止させるようにしている。
【先行技術文献】
【特許文献】
【０００３】
【特許文献１】特開平１１−１０７４７０号公報
【発明の概要】
【発明が解決しようとする課題】
【０００４】
上記従来の堰壁用笠木では、笠木本体３３の取付けにあたって、笠木本体３３を外側に開くように弾性変形させる作業が非常に困難であり、またそのように笠木本体３３を弾性変形させてブラケット３２に被せながら、屋内外側壁３３ｂ，３３ｃ下端部のフランジ４１，４２をブラケット３２の屋内外側板部３２ｂ，３２ｃの下端部に係止させる時に、ブラケット３２の屋内外側板部３２ｂ，３２ｃ下端部が、フランジ４１，４２の先端太肉部４１ａ，４２ａに外嵌されたヒレ本体３４ａ，３５ａの断面略Ｃ字状嵌合部３４ｂ，３５ｂに強く引っ掛かる状態となるため、ヒレ本体３４ａ，３５ａ基端部の断面略Ｃ字状嵌合部３４ｂ，３５ｂがフランジ４１，４２の先端太肉部４１ａ，４２ａから抜けて外れることがあり、そしてヒレ本体３４ａ，３５ａの基端嵌合部３４ｂ，３５ｂが一度外れると、特に屋外側ヒレ本体３５ａの場合にはこれをブラケット３２のフランジ４１，４２側に取り付けるのに、堰壁１の屋外側に足場を組む必要があって、施工費の高騰を来すことになる。
【０００５】
本発明は、上記の事情に鑑み、堰壁に固定したブラケットに笠木本体を取り付けるにあたって、笠木本体に水返しヒレを予め取り付けておきながら、笠木本体の取付中に水返しヒレが外れることなく、笠木本体をブラケットに対し迅速容易に取り付けることができる堰壁用笠木を提供することを目的とする。
【課題を解決するための手段】
【０００６】
上記課題を解決するための手段を、後述する実施形態の参照符号を付して説明すると、請求項１に係る発明の堰壁用笠木は、図１及び図２において符号Ａで示すように、上板部２ａと屋内外両側板部２ｂ，２ｃとで略下向きコ字状に形成され、堰壁１の頂部に所定間隔おきに跨嵌して固定されるブラケット２と、天板３ａと屋内外両側壁３ｂ，３ｃとで略下向きコ字状に形成され、ブラケット２に固定して堰壁１の上端部を覆う笠木本体３と、夫々ヒレ本体４ａ，５ａの基端部に係嵌用拡大基部４ｂ，５ｂを形成し、笠木本体３の屋内外側壁３ｂ，３ｃと堰壁１の屋内外側面１ａ，１ｂとの隙間Ｓａ，Ｓｂを塞ぐ弾性変形可能な屋内側及び屋外側の水返しヒレ４，５とを備え、
笠木本体３の屋内外両側壁３ｂ，３ｃの夫々内面下端部に、水返しヒレ４，５の係嵌用拡大基部４ｂ，５ｂが係嵌してヒレ本体４ａ，５ａを略水平に突出させる被係嵌部６，６を設け、被係嵌部６，６の上方にリブ７，７を突設すると共に、このリブ７，７と被係嵌部６，６との間には、ヒレ本体４ａ，５ａを被係嵌部６，６から上向きに屈曲させた時にその屈曲したヒレ本体４ａ，５ａを屋内外両側壁３ｂ，３ｃの夫々内面側へ逃がす逃がしスペース８，８を設け、ブラケット２の屋内外両側板部２ｂ，２ｃの夫々下端には笠木本体３のリブ７，７先端部が係合する係合凹部９，９を設け、
しかして、堰壁１に固定したブラケット２に笠木本体３を被せて押し下げることにより、各水返しヒレ４，５のヒレ本体４ａ，５ａは、ブラケット２の屋内外側板部２ｂ，２ｃに当たることで上向きに屈曲して一旦逃がしスペース８へ逃げた状態から復元してその先端部が堰壁１の屋内外側面１ａ，１ｂに弾接すると共に、リブ７先端部がブラケット２の屋内外側板部２ｂ，２ｃの係合凹部９に係合するようにしたことを特徴とする。
【０００７】
請求項２に係る発明の堰壁用笠木は、図３，図４において符号Ｂで示すように、上板部２ａと屋内外両側板部２ｂ，２ｃとで略下向きコ字状に形成され、堰壁１の頂部に所定間隔おきに跨嵌して固定されるブラケット２と、天板３ａと屋内外両側壁３ｂ，３ｃとで略下向きコ字状に形成され、ブラケット２に固定して堰壁１の上端部を覆う笠木本体３と、夫々ヒレ本体４ａ，５ａの基端部に係嵌用拡大基部４ｂ，５ｂを形成し、笠木本体３の屋内外側側壁３ｂ，３ｃと堰壁１の屋内外側面１ａ，１ｂとの隙間Ｓａ，Ｓｂを塞ぐ弾性変形可能な屋内側及び屋外側の水返しヒレ４，５とを備え、
笠木本体３の屋内外両側壁３ｂ，３ｃの内面の夫々下端部に、水返しヒレ４，５の係嵌用拡大基部４ｂ，５ｂが係嵌してヒレ本体４ａ，５ａを略水平に突出させる被係嵌部６，６を設け、笠木本体３の屋内側側壁３ｂの内面には屋内側被係嵌部６の上方にリブ７を突設すると共に、このリブ７と被係嵌部６との間には、ヒレ本体４ａを被係嵌部６から上向きに屈曲させた時にその屈曲したヒレ本体４ａを屋内側側壁３ｂの内面側へ逃がす逃がしスペース８を設け、屋外側被係嵌部６と屋外側側壁３ｃ内面とのコーナーをブラケット２の屋外側側板部２ｃの下端部が係止する係止部Ｋとし、ブラケット２の屋内側側板部２ｂ下端には笠木本体３の屋内側側壁３ｂのリブ７先端部が係合する係合凹部９を設け、
しかして、堰壁１に固定したブラケット２に笠木本体３を被せながら、笠木本体３を屋外側が下がるように回転させて、笠木本体３の屋外側側壁３ｃの前記コーナー係止部Ｋにブラケット２の屋外側側板部２ｃの下端部を係止させた状態で、笠木本体３の屋内側を下向きに回転させることにより、屋内側水返しヒレ４のヒレ本体５ａが、ブラケット２の屋内側側板部２ｂに当たることで上向きに屈曲して逃がしスペース８へ逃げた状態から復元し、その先端部が堰壁１の屋内側側面１ａに弾接し、リブ７先端部がブラケット２の屋内側側板部２ｂの係合凹部９に係合すると共に、屋外側水返しヒレ５の先端部が堰壁１の屋外側側面１ｂに弾接するようにしたことを特徴とする。
【０００８】
請求項３に係る発明の堰壁用笠木は、図５，図６において符号Ｃで示すように、上板部２ａと屋内外両側板部２ｂ，２ｃとで略下向きコ字状に形成され、堰壁１の頂部に所定間隔おきに跨嵌して固定されるブラケット２と、天板３ａと屋内外両側壁３ｂ，３ｃとで略下向きコ字状に形成され、ブラケット２に固定して堰壁１の上端部を覆う笠木本体３と、夫々ヒレ本体４ａ，２５ａの基端部に係嵌用拡大基部４ｂ，２５ｂを形成し、笠木本体３の屋内外側壁３ｂ，３ｃと堰壁１の屋内外側面１ａ，１ｂとの隙間を塞ぐ水返しヒレで、弾性変形可能な屋内側水返しヒレ４及びアルミ製の屋外側水返しヒレ２５とを備え、
笠木本体３の屋内外両側壁３ｂ，３ｃの内面の夫々下端部に、水返しヒレ４，２５の係嵌用拡大基部４ｂ，２５ｂが係嵌してヒレ本体４ａ，２５ａを略水平に突出させる被係嵌部６，６を設け、笠木本体３の屋内側側壁３ｂの内面には屋内側被係嵌部６の上方にリブ７を突設すると共に、このリブ７と被係嵌部６との間には、ヒレ本体４ａを被係嵌部６から上向きに屈曲させた時にその屈曲したヒレ本体４ａを屋内側側壁３ｂの内面側へ逃がす逃がしスペース８を設け、屋外側被係嵌部６と屋外側側壁３ｃ内面とのコーナーをブラケット２の屋外側側板部２ｃの下端部が係止する係止部Ｋとし、ブラケット２の屋内側側板部２ｂ下端には笠木本体３の屋内側側壁３ｂのリブ７先端部が係合する係合凹部９を設け、
しかして、堰壁１に固定したブラケット２に笠木本体３を被せながら、笠木本体３を屋外側が下がるように回転させて、笠木本体３の屋外側側壁３ｃの前記コーナー係止部Ｋにブラケット２の屋外側側板部２ｃの下端部を係止させた状態で、笠木本体３の屋内側を下向きに回転させることにより、屋内側水返しヒレ４のヒレ本体４ａが、ブラケット２の屋内側側板部２ｂに当たることで上向きに屈曲して逃がしスペース８へ逃げた状態から復元し、その先端部が堰壁１の屋内側側面１ａに弾接し、リブ７先端部がブラケット２の屋内側側板部２ｂの係合凹部９に係合すると共に、屋外側水返しヒレ２５の先端部が堰壁１の屋外側側面１ａに当接又は近接するようにしたことを特徴とする。
【０００９】
請求項４に係る発明の堰壁用笠木は、図７に符号Ｄで示すもので、上板部２ａと屋内外両側板部２ｂ，２ｃとで略下向きコ字状に形成され、堰壁１の頂部に所定間隔おきに跨嵌して固定されるブラケット２と、天板３ａと屋内外両側壁３ｂ，３ｃとで略下向きコ字状に形成され、ブラケット２に固定して堰壁１の上端部を覆う笠木本体３と、夫々ヒレ本体４ａ，５ａの基端部に係嵌用拡大基部４ｂ，５ｂを形成し、笠木本体３の屋内外側側壁３ｂ，３ｃと堰壁１の屋内外側面１ａ，１ｂとの隙間Ｓａ，Ｓｂを塞ぐ弾性変形可能な屋内側及び屋外側の水返しヒレ４，５とを備え、
笠木本体３の屋内外両側壁３ｂ，３ｃの内面の夫々下端部に、水返しヒレ４，５の係嵌用拡大基部４ｂ，５ｂが係嵌してヒレ本体４ａ，５ａを略水平に突出させる被係嵌部６，６を設け、笠木本体３の屋外側側壁３ｃの内面には屋外側被係嵌部６の上方にリブ７を突設すると共に、このリブ７と被係嵌部６との間には、ヒレ本体５ａを被係嵌部６から上向きに屈曲させた時にその屈曲したヒレ本体５ａを屋外側側壁３ｃの内面側へ逃がす逃がしスペース８を設け、屋内側被係嵌部６と屋内側側壁３ｂ内面とのコーナーをブラケット２の屋内側側板部２ｂの下端部が係止する係止部Ｋとし、ブラケット２の屋外側側板部２ｃ下端には笠木本体３の屋外側側壁３ｃのリブ７先端部が係合する係合凹部９を設け、
しかして、堰壁１に固定したブラケット２に笠木本体３を被せながら、笠木本体３を屋内側が下がるように回転させて、笠木本体３の屋内側側壁３ｂの前記コーナー係止部Ｋにブラケット２の屋内側側板部２ｂの下端部を係止させた状態で、笠木本体３の屋外側を下向きに回転させることにより、屋外側水返しヒレ５のヒレ本体５ａが、ブラケット２の屋外側側板部２ｃに当たることで上向きに屈曲して逃がしスペース８へ逃げた状態から復元し、その先端部が堰壁１の屋外側側面１ｂに弾接し、リブ７先端部がブラケット２の屋外側側板部２ｃの係合凹部９に係合すると共に、屋内側水返しヒレ４の先端部が堰壁１の屋内側側面１ａに弾接するようにしたことを特徴とする。
【００１０】
請求項５に係る発明の堰壁用笠木は、図８において符号Ｅで示すように、上板部２ａと屋内外両側板部２ｂ，２ｃとで略下向きコ字状に形成され、堰壁１の頂部に所定間隔おきに跨嵌して固定されるブラケット２と、天板３ａと屋内外両側壁３ｂ，３ｃとで略下向きコ字状に形成され、ブラケット２に固定して堰壁１の上端部を覆う笠木本体３と、夫々ヒレ本体２４ａ，５ａの基端部に係嵌用拡大基部２４ｂ，５ｂを形成し、笠木本体３の屋内外側壁３ｂ，３ｃと堰壁１の屋内外側面１ａ，１ｂとの隙間を塞ぐ水返しヒレで、弾性変形可能な屋内側水返しヒレ２４及びアルミ製の屋外側水返しヒレ５とを備え、
笠木本体３の屋内外両側壁３ｂ，３ｃの内面の夫々下端部に、水返しヒレ２４，５の係嵌用拡大基部２４ｂ，５ｂが係嵌してヒレ本体２４ａ，５ａを略水平に突出させる被係嵌部６，６を設け、笠木本体３の屋外側側壁３ｃの内面には屋外側被係嵌部６の上方にリブ７を突設すると共に、このリブ７と被係嵌部６との間には、ヒレ本体５ａを被係嵌部６から上向きに屈曲させた時にその屈曲したヒレ本体５ａを屋外側側壁３ｃの内面側へ逃がす逃がしスペース８を設け、屋内側被係嵌部６と屋内側側壁３ｂ内面とのコーナーをブラケット２の屋内側側板部２ｂの下端部が係止する係止部Ｋとし、ブラケット２の屋外側側板部２ｃ下端には笠木本体３の屋外側側壁３ｃのリブ７先端部が係合する係合凹部９を設け、
しかして、堰壁１に固定したブラケット２に笠木本体３を被せながら、笠木本体３を屋内側が下がるように回転させて、笠木本体３の屋内側側壁３ｂの前記コーナー係止部Ｋにブラケット２の屋内側側板部２ｂの下端部を係止させた状態で、笠木本体３の屋外側を下向きに回転させることにより、屋外側水返しヒレ５のヒレ本体５ａが、ブラケット２の屋外側側板部２ｃに当たることで上向きに屈曲して逃がしスペース８へ逃げた状態から復元し、その先端部が堰壁１の屋外側側面１ｂに弾接し、リブ７先端部がブラケット２の屋外側側板部２ｃの係合凹部９に係合すると共に、屋内側水返しヒレ２４の先端部が堰壁１の屋内側側面１ａに当接又は近接するようにしたことを特徴とする。
【００１１】
請求項６は、請求項１〜５の何れかに記載の堰壁用笠木において、弾性変形可能な水返しヒレ４，５のヒレ本体４ａ，５ａの基端部に形成される係嵌用拡大基部４ｂ，５ｂは、断面略Ｔ字状を成し、笠木本体３の屋内外両側壁３ｂ，３ｃ内面の夫々下端部に形成される被係嵌部６は、ヒレ本体４ａ，５ａの係嵌用拡大基部４ｂ，５ｂの断面形状に対応するリップ溝形状に形成されていることを特徴とする。
【発明の効果】
【００１２】
上記解決手段による発明の効果を、後述する実施形態の参照符号を付して説明すると、請求項１に係る発明によれば、各水返しヒレ４，５は、ヒレ本体４ａ，５ａとこれの基端部に一体形成された係嵌用拡大基部４ｂ，５ｂとからなり、その係嵌用拡大基部４ｂ，５ｂが笠木本体３の屋内外側壁３ｂ，３ｃ下端部の被係嵌部６に係嵌されたもので、しかもこの被係嵌部６から突出したヒレ本体４ａ，５ａは、ブラケット２の屋内外側板部２ｂ，２ｃ外側面に当接して被係嵌部６，６から上向きに押し上げられて屈曲する時にそのまま逃がしスペース８，８へ逃げ込むようになっているから、ヒレ本体４ａ，５ａの上向き屈曲時に、係嵌用拡大基部４ｂ，５ｂが被係嵌部６から抜けて外れたり、ブラケット２の屋内外側板部２ｂ，２ｃとの当接時に破損するおそれがない。そして、笠木本体３を取り付ける際には、笠木本体３を略水平姿勢で、堰壁１に固定したブラケット２に被せて上方より押し下げるだけで、笠木本体３をブラケット２に固定できると共に、水返しヒレ４，５のヒレ本体４ａ，５ａ先端部を堰壁１の屋内外側面に夫々弾接させることができるため、堰壁用笠木Ａの取付施工を簡単容易に行なうことができる。また、水返しヒレ４，５は、予め工場で笠木本体３の被係嵌部６に取り付けられるため、現場作業が不要となる。
【００１３】
請求項２に係る発明によれば、各水返しヒレ４，５は、ヒレ本体４ａ，５ａとこれの基端部に一体形成された係嵌用拡大基部４ｂ，５ｂとからなり、係嵌用拡大基部４ｂ，５ｂが、笠木本体３の屋内外側壁３ｂ，３ｃ下端部の被係嵌部６に係嵌されたもので、屋内側被係嵌部６から突出したヒレ本体４ａは、ブラケット２の屋内側板部２ｂに当接して被係嵌部６から上向きに押し上げられて屈曲する時にそのまま逃がしスペース８へ逃げ込むため、ヒレ本体４ａの上向き屈曲時に、係嵌用拡大基部４ｂが被係嵌部６から抜けて外れたり、ブラケット２の屋内側板部２ｂとの当接時に破損するおそれがない。また笠木本体３の取付時には、笠木本体３を先に屋外側が下がるように回転させて、笠木本体３の屋外側側壁３ｃのコーナー係止部Ｋにブラケット２の屋外側側板部２ｃの下端部を係止させ、この状態で、笠木本体３の屋内側を下向きに回転させるだけで、笠木本体３をブラケット２に固定できると共に、水返しヒレ４，５のヒレ本体４ａ，５ａ先端部を堰壁１の屋内外側面に夫々弾接させることができるから、堰壁用笠木Ｂの取付施工が簡単容易となる。
【００１４】
請求項３に係る発明によれば、屋内側の弾性変形可能な水返しヒレ４及びアルミ製の屋外側水返しヒレ２５は、夫々ヒレ本体４ａ，２５ａとこれの基端部に一体形成された係嵌用拡大基部４ｂ，２５ｂとからなり、係嵌用拡大基部４ｂ，２５ｂが、笠木本体３の屋内外側壁３ｂ，３ｃ下端部の被係嵌部６，６に係嵌されたもので、弾性変形可能な屋内側水返しヒレ４のヒレ本体４ａは、ブラケット２の屋内側板部２ｂに当接して被係嵌部６から上向きに押し上げられて屈曲する時にそのまま逃がしスペース８へ逃げ込むから、ヒレ本体４ａの上向き屈曲時に、係嵌用拡大基部４ｂが被係嵌部６から抜けて外れたり、ブラケット２の屋内側板部２ｂとの当接時に破損するおそれがない。
【００１５】
また、アルミ製の水返しヒレ２５は、弾性変形可能な軟質樹脂等からなる水返しヒレ４，５に比べ、笠木の下方から見た外観上の体裁、見栄えが良い。またアルミ製水返しヒレ２５は、前記隙間Ｓａ，Ｓｂから笠木内部への雨水の吹き込みを可能な限り防止できると共に、長期にわたって垂れることがなく安全に使用することができる。また、笠木本体３の取付時には、笠木本体３を先に屋外側が下がるように回転させて、笠木本体３の屋外側側壁３ｃのコーナー係止部Ｋにブラケット２の屋外側側板部２ｃ下端部を係止させ、この状態で、笠木本体３の屋内側を下向きに回転させるだけで、笠木本体３をブラケット２に固定できると共に、屋内側水返しヒレ４のヒレ本体４ａ先端部を堰壁１の屋内側側面１ａに弾接させ、屋外側水返しヒレ２５のヒレ本体２５ａ先端部を堰壁１の屋外側側面に当接又は近接させることができるから、堰壁用笠木Ｃの取付施工が簡単容易となる。
【００１６】
請求項４に係る発明によれば、各水返しヒレ４，５は、ヒレ本体４ａ，５ａとこれの基端部に一体形成された係嵌用拡大基部４ｂ，５ｂとからなり、係嵌用拡大基部４ｂ，５ｂが、笠木本体３の屋内外側壁３ｂ，３ｃ下端部の被係嵌部６に係嵌されたもので、屋外側被係嵌部６から突出したヒレ本体５ａは、ブラケット２の屋外側板部２ｃに当接して被係嵌部６から上向きに押し上げられて屈曲する時にそのまま逃がしスペース８へ逃げ込むため、ヒレ本体５ａの上向き屈曲時に、係嵌用拡大基部５ｂが被係嵌部６から抜けて外れたり、ブラケット２の屋外側板部２ｃとの当接時に破損するおそれがない。また、笠木本体３の取付時には、笠木本体３を先に屋内側が下がるように回転させて、笠木本体３の屋内側側壁３ｂのコーナー係止部Ｋにブラケット２の屋内側側板部２ｂの下端部を係止させ、この状態で、笠木本体３の屋外側を下向きに回転させるようにするだけで、笠木本体３をブラケット２に固定できると共に、屋内外両水返しヒレ４，５のヒレ本体４ａ，５ａ先端部を堰壁１の屋内外両側面１ａ，１ｂに夫々弾接させることができ、堰壁用笠木Ｄの取付施工が簡単容易となる。
【００１７】
請求項５に係る発明によれば、アルミ製の屋内側水返しヒレ２４及び弾性変形可能な屋外側水返しヒレ２５は、夫々ヒレ本体２４ａ，５ａとこれの基端部に一体形成された係嵌用拡大基部２４ｂ，５ｂとからなり、係嵌用拡大基部２４ｂ，５ｂが、笠木本体３の屋内外側壁３ｂ，３ｃ下端部の被係嵌部６，６に係嵌されたもので、弾性変形可能な屋外側水返しヒレ５のヒレ本体５ａは、ブラケット２の屋外側板部２ｃに当接して被係嵌部６から上向きに押し上げられて屈曲する時にそのまま逃がしスペース８へ逃げ込むから、ヒレ本体５ａの上向き屈曲時に、係嵌用拡大基部５ｂが被係嵌部６から抜けて外れたり、ブラケット２の屋内側板部２ｂとの当接時に破損するおそれがない。また、笠木本体３の取付時には、笠木本体３を先に屋内側が下がるように回転させて笠木本体３の屋内側側壁３ｂのコーナー係止部Ｋにブラケット２の屋内側側板部２ｂの下端部を係止させ、この状態で、笠木本体３の屋外側を下向きに回転させるようにするだけで、笠木本体３をブラケット２に固定できると共に、屋外側水返しヒレ５のヒレ本体５ａ先端部を堰壁１の屋外側側面１ｂに弾接させ、屋内側水返しヒレ２４のヒレ本体２４ａ先端部を堰壁１の屋内側側面１ａに当接又は近接させることができるから、堰壁用笠木Ｅの取付施工が簡単容易となる。
【００１８】
請求項６に係る発明によれば、ヒレ本体４ａ，５ａ基端部の係嵌用拡大基部４ｂ，５ｂは断面略Ｔ字状を成し、笠木本体３の屋内外両側壁３ｂ，３ｃ内面の夫々下端部に形成される被係嵌部６はヒレ本体４ａ，５ａの係嵌用拡大基部４ｂ，５ｂの断面形状に対応するリップ溝形状に形成されているから、笠木本体３の取付時における水返しヒレ４，５の脱落をより一層確実に防止できる。
【図面の簡単な説明】
【００１９】
【図１】(a) は本発明に係る堰壁用笠木の取付状態を示す断面図、(b) は同取付状態の平面図で、笠木本体を仮想線で示す。
【図２】(a) 〜(c)は 図１に示す堰壁用笠木の取付方法を説明する説明図である。
【図３】(a) は本発明に係る他の堰壁用笠木の取付状態を示す断面図、(b) は同取付状態の平面図で、笠木本体を仮想線で示す。
【図４】(a) 〜(c) は図３に示す堰壁用笠木の取付方法を説明する説明図である。
【図５】本発明に係る更に他の堰壁用笠木の取付状態を示す断面図である。
【図６】(a) 〜(c) は図５に示す堰壁用笠木の取付方法を説明する説明図である。
【図７】本発明に係る更に他の堰壁用笠木の取付状態を示す断面図である。
【図８】本発明に係る更に他の堰壁用笠木の取付状態を示す断面図である。
【図９】従来の堰壁用笠木の取付状態を示す断面図である。
【発明を実施するための形態】
【００２０】
以下に本発明の好適な実施形態を図面に基づいて説明すると、先ず、図１に示す堰壁用笠木Ａは、上板部２ａと屋内外両側板部２ｂ，２ｃとで略下向きコ字状に形成され、パラペット等のコンクリート製堰壁１の頂部に所定間隔おきに跨嵌してアンカーボルト１０で固定されるアルミ合金製のブラケット２と、天板３ａと屋内外両側壁３ｂ，３ｃとにより略下向きコ字状に形成され、前記ブラケット２に固定して堰壁１の上端部を覆うアルミ合金製の笠木本体３と、夫々ヒレ本体４ａ，５ａの基端部に係嵌用拡大基部４ｂ，５ｂを形成し、笠木本体３の屋内外側壁３ｂ，３ｃと堰壁１の屋内外側面１ｂ，１ｃとの隙間Ｓａ，Ｓｂを塞ぐ弾性変形可能な軟質樹脂製の屋内側水返しヒレ４及び屋外水返しヒレ５とを備えている。堰壁１の表面には防水層２０が被覆形成されている。
【００２１】
上記堰壁用笠木Ａの構造につき更に詳しく説明すれば、笠木本体３の屋内外両側壁３ｂ，３ｃの夫々内面下端部には、水返しヒレ４，５の係嵌用拡大基部４ｂ，５ｂが係嵌してヒレ本体４ａ，５ａを略水平に突出させるリップ溝形状の被係嵌部６，６が笠木本体３の全長に亘り設けられ、この被係嵌部６，６の上方にはリブ７，７が笠木本体３の全長に亘って突設されると共に、このリブ７，７と被係嵌部６，６との間に、ヒレ本体４ａ，５ａを被係嵌部６，７から上向きに屈曲させた時にその屈曲したヒレ本体４ａ，５ａを屋内外両側壁３ｂ，３ｃの夫々内面側へ逃がすための逃がしスペース８，８が設けられている。また、ブラケット２の屋内外両側板部２ｂ，２ｃの夫々下端には笠木本体３のリブ７の先端部が係合する凹溝状の係合凹部９，９が設けてある。水返しヒレ４，５は、予め工場で笠木本体３のリップ溝形状被係嵌部６にその一端から差し込んでスライドさせながら取り付けられる。また、ブラケット２の上板部２ａには両端部とその中間部に笠木受けリブ２ｄ，２ｅ，２ｆ，２ｇが突設されていて、これら笠木受けリブ２ｄ〜２ｇの夫々上端には夫々緩衝ゴム１１が装着されている。図１の(b) には、堰壁１とこの上に固定されたブラケット２のみを示し、笠木本体３は仮想線で外形のみを示し、また緩衝ゴム１１の図示を省略している。
【００２２】
図２の(a) 〜(c) は上記笠木本体３を堰壁１の頂部に被冠する方法を説明する図面で、先ず図２の(a) ，(b) に示すように、笠木本体３を堰壁１の上方より水平姿勢で下降して、堰壁１に固定されたブラケット２に被せながら、そのまま笠木本体３を押し下げることによって、屋内側及び屋外側水返しヒレ４，５のヒレ本体４ａ，５ａは、同図の(b) に示すように、ブラケット２の屋内外側板部２ｂ，２ｃ外側面に当たることで被係嵌部６，６から上向きに屈曲して一旦逃がしスペース８，８へ逃げた状態から復元し、同図の(c) に示すようにヒレ本体４ａ，５ａの先端部が堰壁１の屋内外側面に夫々弾接すると共に、リブ７，７の先端部がブラケット２の屋内外側板部２ｂ，２ｃの係合凹部９，９に係合し、それにより笠木本体３はブラケット２に固定されて、堰壁１の頂部に被冠される。
【００２３】
この場合、屋内外の各水返しヒレ４，５は、ヒレ本体４ａ，５ａとこれの基端部に一体形成された係嵌用拡大基部４ｂ，５ｂとからなるもので、その係嵌用拡大基部４ｂ，５ｂが、笠木本体３の屋内外側壁３ｂ，３ｃの内面下端部に設けられたリップ溝形状の被係嵌部６に係嵌されており、しかもこの被係嵌部６から突出したヒレ本体４ａ，５ａは、ブラケット２の屋内外側板部２ｂ，２ｃ外側面に当接して被係嵌部６，６から上向きに押し上げられて屈曲する時にそのまま逃がしスペース８，８へ逃げ込むようになっているから、このヒレ本体４ａ，５ａの上向き屈曲時に、係嵌用拡大基部４ｂ，５ｂが被係嵌部６から抜けて外れたり、またブラケット２の屋内外側板部２ｂ，２ｃとの当接時に破損するようなおそれがない。
【００２４】
またこの場合、笠木本体３を略水平姿勢で、堰壁１に固定されたブラケット２に被せて上方より押し下げるだけで、笠木本体３をブラケット２に固定できると共に、水返しヒレ４，５のヒレ本体４ａ，５ａ先端部を堰壁１の屋内外側面に夫々弾接させることができるため、堰壁用笠木Ａの取付施工を簡単容易に行なうことができる。尚、笠木受けリブ２ｄ〜２ｇの夫々上端に夫々緩衝ゴム１１が装着されているため、笠木本体３は、ブラケット２との衝当によって傷がつくようなことがないし、ブラケット２に取り付けられた状態でガタつくことなく安定状態に固定される。水返しヒレ４，５は、予め工場で笠木本体３の被係嵌部６に取り付けられるので、現場での取付作業が不要となる。また水返しヒレ４，５は、笠木本体３の屋内外側壁３ｂ，３ｃと堰壁１の屋内外側面１ｂ，１ｃとの隙間Ｓａ，Ｓｂに応じた寸法のものを適宜選択することで、種々の条件に適合できる。
【００２５】
図３に示す堰壁用笠木Ｂは、上板部２ａと屋内外両側板部２ｂ，２ｃとにより略下向きコ字に形成され、堰壁１頂部にアンカーボルト１０で固定されるアルミ合金製のブラケット２と、天板３ａと屋内外両側壁３ｂ，３ｃとで略下向きコ字状に形成され、ブラケット２に固定して堰壁１の上端部を覆うアルミ合金製笠木本体３と、夫々ヒレ本体４ａ，５ａの基端部に係嵌用拡大基部４ｂ，５ｂを形成し、笠木本体３の屋内外側壁３ｂ，３ｃと堰壁１の屋内外側面１ｂ，１ｃとの隙間Ｓａ，Ｓｂを塞ぐ弾性変形可能な軟質樹脂製の屋内側及び屋外側水返しヒレ４，５とを備え、そして笠木本体３の屋内外両側壁３ｂ，３ｃの内面の夫々下端部に、水返しヒレ４，５の係嵌用拡大基部４ｂ，５ｂが係嵌してヒレ本体４ａ，５ａを略水平に突出させる被係嵌部６，６が設けられると共に、笠木本体３の屋内側側壁３ｂの内面には屋内側被係嵌部６の上方にリブ７が突設され、このリブ７と被係嵌部６との間に逃がしスペース８が設けられているところまでは、図１及び図２に示す堰壁用笠木Ａと同じ構成であるが、次の点で図１及び図２の堰壁用笠木Ａとは異なる。
【００２６】
即ち、図３に示す堰壁用笠木Ｂでは、(a) に示すように、笠木本体３の屋外側側壁３ｃ内面には屋外側被係嵌部６の上方にリブが設けられておらず、そしてブラケット２の屋外側側板部２ｃが屋内側側板部２ｂよりも下方へ長く延びており、また笠木本体３の屋外側側壁３ｃ内面と屋外側被係嵌部６とのコーナーが、ブラケット２の屋外側側板部２ｃの下端部を係止させる係止部Ｋとしている点が、図１及び図２の堰壁用笠木Ａと相違する。
【００２７】
図４の(a) 〜(c) は上記笠木本体３を堰壁１の頂部に被冠する方法を説明するもので、先ず図４の(a) に示すように、笠木本体３を堰壁１の上方より下ろして、堰壁１に固定されたブラケット２に被せながら、笠木本体３を屋外側が下がるように回転させて、笠木本体３の屋外側側壁３ｃの前記コーナー係止部Ｋにブラケット２の屋外側側板部２ｃの下端部を係止させ、しかしてこの係止状態で、(b) に示すように笠木本体３の屋内側を下向きに回転させることにより、屋内側水返しヒレ４のヒレ本体４ａは、ブラケット２の屋内側側板部２ｂ外面に当たることで上向きに屈曲して逃がしスペース８へ逃げた後、ブラケット２の屋内側側板部２ｂを越えると、(c) に示すように、逃がしスペース８から弾性により復元して、ヒレ本体４ａの先端部が堰壁１の屋内側側面に弾接し、笠木本体３の屋内側側壁３ｂのリブ７の先端部がブラケット２の屋内側側板部２ｂ下端の係合凹部９に係合すると共に、屋外側水返しヒレ５の先端部が堰壁１の屋外側側面に弾接し、これにより笠木本体３はブラケット２に固定されて、堰壁１の頂部に被冠される。
【００２８】
この場合も、屋内外各水返しヒレ４，５は、ヒレ本体４ａ，５ａとこれの基端部に一体形成された係嵌用拡大基部４ｂ，５ｂとからなるもので、その係嵌用拡大基部４ｂ，５ｂが、笠木本体３の屋内外側壁３ｂ，３ｃの内面下端部に設けられたリップ溝形状の被係嵌部６に係嵌されており、屋内側水返しヒレ４のヒレ本体４ａは、ブラケット２の屋内側側板部２ｂ外側面に当接して被係嵌部６から上向きに押し上げられて屈曲する時にそのまま逃がしスペース８，８へ逃げ込むことができるから、このヒレ本体４ａの上向き屈曲時に、係嵌用拡大基部４ｂが被係嵌部６から抜けて外れたり、またブラケット２の屋内側側板部２ｂとの当接時に破損するようなおそれもない。また、笠木本体３の屋外側側壁３ｃのコーナー係止部Ｋにブラケット２の屋外側側板部２ｃの下端部を係止させるから、屋外側の水返しヒレ５は、何ら負荷を受けず、屋外側水返しヒレ５の先端部が堰壁１の屋外側側面に弾接してシール機能を果たす。
【００２９】
またこの堰壁用笠木Ｂでは、笠木本体３を先に屋外側が下がるように回転させて、笠木本体３の屋外側側壁３ｃのコーナー係止部Ｋにブラケット２の屋外側側板部２ｃの下端部を係止させ、この状態で、笠木本体３の屋内側を下向きに回転させるようにするだけで、笠木本体３をブラケット２に固定できると共に、水返しヒレ４，５のヒレ本体４ａ，５ａ先端部を堰壁１の屋内外側面に夫々弾接させることができるから、堰壁用笠木Ｂの取付施工を簡単容易に行なうことができる。
【００３０】
図５に示す堰壁用笠木Ｃは、図３及び図４の堰壁用笠木Ｂと殆ど同様な構成であるが、屋外側の水返しヒレ２５がアルミ合金で形成されている点のみが堰壁用笠木Ｂと異なる。即ち、この堰壁用笠木Ｃは、笠木本体３の屋内外両側壁３ｂ，３ｃ内面の夫々下端部に、弾性変形可能な水返しヒレ４及びアルミ製水返しヒレ２５の係嵌用拡大基部４ｂ，２５ｂが係嵌してヒレ本体４ａ，２５ａを略水平に突出させる被係嵌部６，６を設け、笠木本体３の屋内側側壁３ｂの内面には屋内側被係嵌部６の上方にリブ７を突設すると共に、このリブ７と被係嵌部６との間には、ヒレ本体４ａを被係嵌部６から上向きに屈曲させた時にその屈曲したヒレ本体４ａを屋内側側壁３ｂの内面側へ逃がす逃がしスペース８を設け、そして屋外側被係嵌部６と屋外側側壁３ｃ内面とのコーナーをブラケット２の屋外側側板部２ｃの下端部が係止する係止部Ｋとし、ブラケット２の屋内側側板部２ｂ下端には笠木本体３の屋内側側壁３ｂのリブ７先端部が係合する係合凹部９を設けている。尚、アルミ製水返しヒレ２５は、弾性変形可能な軟質樹脂製水返しヒレ４と同様に、予め工場で笠木本体３の笠木本体３の屋内外側壁３ｂ，３ｃの被係嵌部６，６に取り付けられる。
【００３１】
図６の(a) 〜(c) は堰壁用笠木Ｃの笠木本体３を堰壁１の頂部に被冠する方法を説明するもので、先ず図４の(a) に示すように、笠木本体３を堰壁１の上方より下ろして、堰壁１に固定されたブラケット２に被せながら、笠木本体３を屋外側が下がるように回転させて、笠木本体３の屋外側側壁３ｃの前記コーナー係止部Ｋにブラケット２の屋外側側板部２ｃの下端部を係止させた状態とし、この係止状態で(b) に示すように笠木本体３の屋内側を下向きに回転させることにより、屋内側水返しヒレ４のヒレ本体４ａは、ブラケット２の屋内側側板部２ｂ外面に当たることで上向きに屈曲して逃がしスペース８へ逃げた後、ブラケット２の屋内側側板部２ｂを越えると、(c) に示すように、逃がしスペース８から弾性により復元して、ヒレ本体４ａの先端部が堰壁１の屋内側側面に弾接し、そして笠木本体３の屋内側側壁３ｂのリブ７の先端部がブラケット２の屋内側側板部２ｂ下端の係合凹部９に係合すると共に、屋外側水返しヒレ２５のヒレ本体２５ａの先端部が堰壁１の屋外側側面に当接するか、又は当該屋外側側面との間に僅かな隙間を形成した状態で近接し、これにより笠木本体３は、ブラケット２に固定されて堰壁１の頂部に被冠される。
【００３２】
この堰壁用笠木Ｃの場合も、笠木本体３を先に屋外側が下がるように回転させて、笠木本体３の屋外側側壁３ｃのコーナー係止部Ｋにブラケット２の屋外側側板部２ｃの下端部を係止させ、この状態で、笠木本体３の屋内側を下向きに回転させるようにするだけで、笠木本体３をブラケット２に固定できると共に、屋内側水返しヒレ４のヒレ本体４ａ先端部を堰壁１の屋内側面に弾接させ、屋外側水返しヒレ２５のヒレ本体２５ａ先端部を堰壁１の屋外側側面に当接又は近接させることができるから、堰壁用笠木Ｂの取付施工を簡単容易に行なうことができる。
【００３３】
図１〜図６の堰壁用笠木Ａ〜Ｃに装備される軟質樹脂製の水返しヒレ４，５は、笠木内への雨水の引き込みを阻止して堰壁１及び防水層２０の劣化を防ぐことは勿論であるが、特に軟質樹脂製のものは堰壁１の内外側面の不陸（平でないこと）や凹凸に馴染み易く、その側面との隙間ができ難い。また軟質樹脂製の水返しヒレ４，５は、笠木本体３の屋内外側壁３ｂ，３ｃと堰壁１の屋内外側面との隙間Ｓａ，Ｓｂに詰め込まれるシーリング材と異なり、笠木内部を密閉するものではないから、笠木内の通気は確保される。
【００３４】
この軟質樹脂製水返しヒレ４，５に対し、図５，図６に示す堰壁用笠木Ｃに装備されるアルミ製の水返しヒレ２５は、軟質樹脂製の水返しヒレ４，５に比べて、笠木の下方から見た外観上の体裁、見栄えが良い。またアルミ製水返しヒレ２５は、軟質樹脂製水返しヒレ４，５のように堰壁１側面の不陸や凹凸に対する馴染みはなく、水密性は劣るが、前記隙間Ｓａ，Ｓｂから笠木内部への雨水の吹き込みを可能な限り防止することができると共に、長期にわたって垂れることがなく安全に使用することができる。またアルミ製水返しヒレ２５は、前記隙間Ｓａ，Ｓｂの幅寸法に合わせて適宜に切断して使用することができる。
【００３５】
図７に示す堰壁用笠木Ｄは、図３に示す堰壁用笠木Ｂの屋内側と屋外側とを逆の構成にしたものである。即ち、この堰壁用笠木Ｄは、笠木本体３の屋内外両側壁３ｂ，３ｃの内面の夫々下端部に、水返しヒレ４，５の係嵌用拡大基部４ｂ，５ｂが係嵌してヒレ本体４ａ，５ａを略水平に突出させる被係嵌部６，６を設け、笠木本体３の屋外側側壁３ｃの内面には屋外側被係嵌部６の上方にリブ７を突設すると共に、このリブ７と被係嵌部６との間には、ヒレ本体５ａを被係嵌部６から上向きに屈曲させた時にその屈曲したヒレ本体５ａを屋外側側壁３ｃの内面側へ逃がす逃がしスペース８を設け、そして屋内側被係嵌部６と屋内側側壁３ｂ内面とのコーナーをブラケット２の屋内側側板部２ｂの下端部が係止する係止部Ｋとしており、またブラケット２の屋外側側板部２ｃ下端には笠木本体３の屋外側側壁３ｃのリブ７の先端部が係合する係合凹部９を設けている。
【００３６】
この堰壁用笠木Ｄの笠木本体３を堰壁１の頂部に被嵌するには、笠木本体３を、図７の仮想線図示のように堰壁１に固定したブラケット２上に下ろしがら、先ず、笠木本体３の屋内側が下がるように回転させて、笠木本体３の屋内側側壁３ｂの前記コーナー係止部Ｋにブラケット２の屋内側側板部２ｂの下端部を係止させた状態とし、そしてこの状態から図７の矢印で示すように笠木本体３の屋外側を下向きに回転させることによって、屋外側水返しヒレ５のヒレ本体５ａが、ブラケット２の屋外側側板部２ｃ外面に当たることで上向きに屈曲して逃がしスペース８へ逃げた後、ブラケット２の屋内側側板部２ｂを越えると、逃がしスペース８から弾性により復元して、ヒレ本体５ａの先端部が堰壁１の屋外側側面に弾接し、リブ７の先端部がブラケット２の屋外側側板部２ｃの係合凹部９に係合すると共に、屋内側水返しヒレ４の先端部が堰壁１の屋内側側面に弾接し、これにより笠木本体３はブラケット２に固定されて、堰壁１の頂部に被冠される。
【００３７】
この堰壁用笠木Ｄでは、笠木本体３を先に屋内側が下がるように回転させて、笠木本体３の屋内側側壁３ｂのコーナー係止部Ｋにブラケット２の屋内側側板部２ｂの下端部を係止させ、この状態で、笠木本体３の屋外側を下向きに回転させるようにするだけで、笠木本体３をブラケット２に固定できると共に、屋内外両水返しヒレ４，５のヒレ本体４ａ，５ａ先端部を堰壁１の屋内外両側面に夫々弾接させることができるから、堰壁用笠木Ｄの取付施工を簡単容易に行なうことができる。
【００３８】
図８に示す堰壁用笠木Ｅは、図５に示す堰壁用笠木Ｃの屋内側と屋外側とを逆の構成にしたものである。即ち、この堰壁用笠木Ｅは、笠木本体３の屋内外両側壁３ｂ，３ｃの内面の夫々下端部に、水返しヒレ２４，５の係嵌用拡大基部２４ｂ，５ｂが係嵌してヒレ本体２４ａ，５ａを略水平に突出させる被係嵌部６，６を設け、笠木本体３の屋外側側壁３ｃの内面には下端部の屋外側被係嵌部６の上方にリブ７を突設すると共に、このリブ７と被係嵌部６との間には、ヒレ本体５ａを被係嵌部６から上向きに屈曲させた時にその屈曲したヒレ本体５ａを屋外側側壁３ｃの内面側へ逃がす逃がしスペース８を設け、そして屋内側被係嵌部６と屋内側側壁３ｂ内面とのコーナーをブラケット２の屋内側側板部２ｂの下端部が係止する係止部Ｋとし、またブラケット２の屋外側側板部２ｃ下端には笠木本体３の屋外側側壁３ｃのリブ７先端部が係合する係合凹部９を設けている。
【００３９】
しかして、この堰壁用笠木Ｅの笠木本体３を堰壁１の頂部に被嵌するには、笠木本体３を、図８の仮想線図示のように堰壁１に固定したブラケット２上に下ろしがら、先ず、笠木本体３の屋内側が下がるように回転させて、笠木本体３の屋内側側壁３ｂの前記コーナー係止部Ｋにブラケット２の屋内側側板部２ｂの下端部を係止させた状態で、笠木本体３の屋外側を下向きに回転させることにより、屋外側水返しヒレ５のヒレ本体５ａが、ブラケット２の屋外側側板部２ｃ外面に当たることで上向きに屈曲して逃がしスペース８へ逃げた後、ブラケット２の屋外側側板部２ｃを越えると、逃がしスペース８から弾性により復元して、その先端部が堰壁１の屋外側側面に弾接し、リブ７の先端部がブラケット２の屋外側側板部２ｃの係合凹部９に係合すると共に、屋内側水返しヒレ２４の先端部が堰壁１の屋内側側面に当接するか、又は当該屋内側側面との間に僅かな隙間を形成した状態で近接し、これにより笠木本体３はブラケット２に固定されて堰壁１頂部に被冠される。
【００４０】
この堰壁用笠木Ｅでは、上記のように、笠木本体３を先に屋内側が下がるように回転させて笠木本体３の屋内側側壁３ｂのコーナー係止部Ｋにブラケット２の屋内側側板部２ｂの下端部を係止させ、この状態で、笠木本体３の屋外側を下向きに回転させるようにするだけで、笠木本体３をブラケット２に固定できると共に、屋外側水返しヒレ５のヒレ本体５ａ先端部を堰壁１の屋内側面に弾接させ、屋内側水返しヒレ２４のヒレ本体２４ａ先端部を堰壁１の屋内側側面に当接又は近接させることができるから、堰壁用笠木Ｅの取付施工を簡単容易に行なうことができる。
【符号の説明】
【００４１】
Ａ〜Ｅ        堰壁用笠木
１            堰壁
２            ブラケット
２ｂ，        ブラケットの屋内側側板部
２ｃ          ブラケットの屋外側側板部
３            笠木本体
３ｂ          笠木本体の屋内側側壁
３ｃ          笠木本体の屋外側側壁
４            弾性変形可能な屋内側水返しヒレ
４ａ          屋内側水返しヒレのヒレ本体
４ｂ          屋外側水返しヒレの係嵌用拡大基部
５            弾性変形可能な屋外側水返しヒレ
５ａ          屋内側水返しヒレのヒレ本体
５ｂ          屋外側水返しヒレの係嵌用拡大基部
６            被係嵌部
７            リブ
８            逃がしスペース
９            係合凹部
２４          アルミ製の屋内側水返しヒレ
２４ａ        屋内側水返しヒレのヒレ本体
２４ｂ        屋内側水返しヒレの係嵌用拡大基部
２５          アルミ製の屋外側水返しヒレ
２５ａ        屋外側水返しヒレのヒレ本体
２５ｂ        屋外側水返しヒレの係嵌用拡大基部
Ｋ            コーナー係止部
【図１】
2013234441.tif 000003
【図２】
2013234441.tif 000004
【図３】
2013234441.tif 000005
【図４】
2013234441.tif 000006
【図５】
2013234441.tif 000007
【図６】
2013234441.tif 000008
【図７】
2013234441.tif 000009
【図８】
2013234441.tif 000010
【図９】
2013234441.tif 000011